(57)【要約】  このシステムは、カラー・カメラ及び光学系を使用して、炉、ボイラ燃焼領域、又はバーナー火炎などの対象物から発せられる２つの色を温度画像にマッピングする。カラー・カメラは、色ごとに、散在する画素を有するカラー・ビデオ・チップを利用して、整合上の問題を軽減させ、同じ光路を利用する。さらに、光学系は、２重帯域通過光フィルタを利用し、それによって光学要素の数を減少させ、光学系による放射損失を最小化し、それによってシステムのダイナミック・レンジを改善する。
2009525488.tif 000002
【特許請求の範囲】
【請求項１】
光放射を発する対象物の温度を測定する高温計システムにおいて、
複数の画像要素を含む色検出器を有するカラー・ビデオ・カメラであって、前記複数の画像要素が、光の第１の色スペクトルを検出するように構成された第１の組の画像要素、および光の第２の色スペクトルを検出するように構成された第２の組の画像要素を有し、前記第１及び第２の組の画像要素が、前記色検出器上に配置された、カラー・ビデオ・カメラと、
前記対象物からの前記光放射を前記色検出器上へ集束させる光学系であって、前記光学系が、前記色検出器への光路内に少なくとも１つのフィルタを含み、該フィルタが、前記光の第１の色スペクトルに重複する第１のスペクトル帯域及び前記光の第２の色スペクトルに重複する第２のスペクトル帯域を透過させるようになっている、光学系と、
前記第１及び第２の組の画像要素からの信号に基づいて前記対象物の温度を求めるように構成されたプロセッサと
を備える高温計システム。
【請求項２】
前記対象物からの前記光放射が、単一の光路に沿って進行する、請求項１に記載された高温計システム。
【請求項３】
前記カラー・ビデオ・カメラが、ＲＧＢカラー・ビデオ・カメラである、請求項１に記載された高温計システム。
【請求項４】
前記フィルタが、前記第１及び第２のスペクトル帯域の外側の光を遮断するように構成され、前記第１のスペクトル帯域の中心が、約４７０ナノメートルの波長の位置にあり、前記第２のスペクトル帯域の中心が、約５４０ナノメートルの波長の位置にある、請求項１に記載された高温計システム。
【請求項５】
前記フィルタが、前記第１及び第２のスペクトル帯域の外側の光を遮断するように構成され、前記第１のスペクトル帯域の中心が、約４７０ナノメートルの波長の位置にあり、前記第２のスペクトル帯域の中心が、約６５０ナノメートルの波長の位置にある、請求項１に記載された高温計システム。
【請求項６】
前記フィルタが、前記第１及び第２のスペクトル帯域の外側の光を遮断するように構成され、前記第１のスペクトル帯域の中心が、約５４０ナノメートルの波長の位置にあり、前記第２のスペクトル帯域の中心が、約６５０ナノメートルの波長の位置にある、請求項１に記載された高温計システム。
【請求項７】
前記カラー・ビデオ・カメラが、ＣｙＧｒＭｇＹｅカラー・ビデオ・カメラである、請求項１に記載された高温計システム。
【請求項８】
前記フィルタが、前記第１及び第２のスペクトル帯域の外側の光を遮断するように構成され、前記第１のスペクトル帯域の中心が、約４５０ナノメートルの波長の位置にあり、前記第２のスペクトル帯域の中心が、約５５０ナノメートルの波長の位置にある、請求項７に記載された高温計システム。
【請求項９】
前記フィルタが、前記第１及び第２のスペクトル帯域の外側の光を遮断するように構成され、前記第１のスペクトル帯域の中心が、約４５０ナノメートルの波長の位置にあり、前記第２のスペクトル帯域の中心が、約５４０ナノメートルの波長の位置にある、請求項７に記載された高温計システム。
【請求項１０】
前記フィルタが、前記第１及び第２のスペクトル帯域の外側の光を遮断するように構成され、前記第１のスペクトル帯域の中心が、約４５０ナノメートルの波長の位置にあり、前記第２のスペクトル帯域の中心が、約６１０ナノメートルの波長の位置にある、請求項７に記載された高温計システム。
【請求項１１】
前記フィルタが、前記第１及び第２のスペクトル帯域の外側の光を遮断するように構成され、前記第１のスペクトル帯域の中心が、約５１０ナノメートルの波長の位置にあり、前記第２のスペクトル帯域の中心が、約６１０ナノメートルの波長の位置にある、請求項７に記載された高温計システム。
【請求項１２】
前記フィルタが、前記第１及び第２のスペクトル帯域の外側の光を遮断するように構成され、前記第１のスペクトル帯域の中心が、約５４０ナノメートルの波長の位置にあり、前記第２のスペクトル帯域の中心が、約６１０ナノメートルの波長の位置にある、請求項７に記載された高温計システム。
【請求項１３】
前記プロセッサが、式Ｔ＝Ｋ＊（Ｗ１／Ｗ２））に基づいて前記温度を計算するように構成され、Ｔが、前記対象物の温度であり、Ｗ１が、前記第１の組の画像要素での測定されたスペクトル発散度であり、Ｗ２が、前記第２の組の画像要素での測定されたスペクトル発散度である、請求項１に記載された高温計システム。
【請求項１４】
前記第１のスペクトル帯域が、前記光の第１の色スペクトルよりも狭く、前記第２のスペクトル帯域が、前記光の第２の色スペクトルよりも狭い、請求項１に記載された高温計システム。
【請求項１５】
前記対象物からの前記光放射が、単一の光路に沿って進行する、請求項１に記載された高温計システム。
【発明の詳細な説明】
【技術分野】
【０００１】
本発明は、広く言えば、燃焼装置で使用するための光学的高温測定システムに関するものである。
【背景技術】
【０００２】
光学的高温測定とは、対象物又は媒体の温度を、対象物又は媒体のスペクトル放射発散度に基づいて求める測定技術である。そのような技術は、燃焼処理及び大規模な燃焼装置内の表面付着物の状態の評価を含む様々な用途において使用される。通常、そのような用途向けのビデオ高温計では、２つの光路が利用され、１つの光波長帯域が、第１の光路に沿って処理され、第２の光波長帯域が、第２の光路に沿って処理される。各光路により、２つの別々の画像が生成され、それらが、２つの単色ビデオ・カメラ上へ、又は単一の単色ビデオ・カメラの２つの重複しない領域で集束される。そのような設計の１つが、米国特許第５２２５８９３号に提供されている。
【特許文献１】米国特許第５２２５８９３号明細書
【発明の開示】
【発明が解決しようとする課題】
【０００３】
上記で参照した従来技術の場合、２つの波長の高温測定計算のための画像の適当な収束及び集束を可能にするために、同時に形成される光路は、１つ又は複数のカメラ上で画像を非常に精密に空間的に整合させること、及び光路長を等しくすることを必要とする。不整合、振動、及び熱膨張により空間的整合又は光路長にばらつきが生じると、温度測定誤差が大きくなり、画像形成が不十分になる。
【０００４】
以上から、ビデオ高温測定用の改良システムが必要とされていることが明らかである。
【課題を解決するための手段】
【０００５】
上記の必要性を満たし、並びに列挙した欠点及び関連分野のその他の制限を克服するために、本発明は、燃焼装置で使用するためのビデオ高温測定用の改良システムを提供する。
【０００６】
本発明に係るシステムは、カラー・カメラ及び光学系を使用して、炉、ボイラ燃焼領域、又はバーナー火炎などの対象物から発せられる２つの色を温度画像にマッピングする。カラー・カメラは、各色の散在する画素を有するカラー・ビデオ・チップを利用して、整合上の問題を軽減させ、同じ光路を利用する。ＲＧＢ（赤−緑−青）又はＣｙＧｒＭｇＹｅ（シアン−緑−マゼンタ−黄）カラー・ビデオ・カメラが、このシステムで容易に利用できる。さらに、光学系は、単一の２重帯域（デュアルバンド）通過フィルタを利用し、それによって光学要素の数を減少させ、光学系による放射損失を最小化し、それによってシステムのダイナミック・レンジを改善する。
【実施例】
【０００７】
本発明の更なる目的、特徴、及び効果は、本明細書に添付されてその一部を形成する図面及び特許請求の範囲を参照し、以下の説明を検討すれば、当業者には容易に明らかになるであろう。
【０００８】
図１を参照すると、本発明の原理を実施するシステムが示され、符号５０が付されている。その主要な構成要素として、システム５０は、光学系５７およびカラー・ビデオ・カメラ６２を含む。
【０００９】
システム５０は、炉、ボイラ燃焼領域、及びバーナー火炎などの対象物５２の遠隔図及び等温線温度マッピングを形成する。主に炉辺の炉又はボイラの温度測定向けに意図されたものであるが、システム５０は、カラー・カメラ６２のスペクトル及び照度の範囲内で放射されているあらゆる対象物又は媒体の温度を正確に測定できる。対象物５２は、線５４で示す光放射を発する。光放射５４は、対象物５２から伝えられ、光学系５７によって受け取られる。
【００１０】
光学系５７は、対物レンズ５６を含み、対物レンズ５６は、カラー・カメラ６２の色検出器６０上に対象物５２の集束させた画像を形成する。対物レンズ５６は、２重帯域通過フィルタ５８と光学的に連通する。２重帯域通過フィルタ５８は、２つの波長帯域の光を透過させるが、他の光の波長は遮断する。２重帯域通過フィルタ５８を透過する光は、色検出器６０に到達し、そこでカラー・カメラ６２によって感知される。したがって、システム５０は、２つの別々の光路を必要とせず、その代わりに２重帯域通過フィルタ５８及び単一の光路を使用して、カラー・カメラ６２の単一の色検出器６０上に画像を形成する。２つの色が、カラー・カメラ６２の各画素上に不可分に集束されるので、複数のＣＣＤ配列を空間的に整合させる必要がない。さらに、２つの色が同じ光路を使用するので、経路長を等しくさせる必要もない。
【００１１】
さらに、カラー・カメラ６２は、従来の３色ＲＧＢ（赤−緑−青）タイプのカメラとすることができ、又はカラー・カメラ６２は、より新しい４色の補色ＣｙＧｒＭｇＹｅ（シアン−緑−マゼンタ−黄）タイプのカメラとすることもできる。各色は、可視光の特定の波長帯域を感知する１組の画素を表している。画素の各組は、カラー・カメラ６２の色検出器６０上に、交互のパターンで散在する。多数の色画素を空間を置いて有する他の単一検出器カラー・カメラも、上記のカメラの代わりに使用できる。しかし、上記に参照したカメラは、２つの色を、様々なハードウェア及びソフトウェア・パッケージで容易に表示し且つ処理できるようにする、標準インターフェースを有する。スペクトル応答が各タイプのカメラによって異なる可能性があるが、２重帯域通過フィルタ５８は、選択されたカメラ向けに設計することができる。さらに、一般に利用可能なカラー・カメラ及び可視スペクトル光学部品類を使用することにより、低コストで容易に利用可能な構成要素を使用して、上質の商用の解決策を提供することができる。
【００１２】
２重帯域通過フィルタ５８は、図２に符号７０及び７２を付された２つの狭い帯域を通過させるように設計される。各波長帯域７０、７２は、１組の画素の感度帯域に対応することができる。さらに、各帯域７０、７２は、画素の各組の対応する感度帯域よりも狭く又は制限的にすることができる。帯域７０は、最小カットオフ波長ＷＬ１及び最大カットオフ波長ＷＬ２を有する。したがって、帯域７０の帯域幅は、ＷＬ１とＷＬ２の間の範囲、即ちＢＷ１である。同様に、帯域７２は、最小カットオフ波長ＷＬ３及び最大カットオフ波長ＷＬ４を有する。したがって、帯域７２の帯域幅は、ＢＷ２である。２重帯域通過フィルタ５８は、選択的に波長帯域だけを通過させる特殊な光フィルタを構成することによって、又はショート・パス・フィルタ、ロング・パス・フィルタ、及びノッチ・フィルタなどの３つの別々の光フィルタを単一の光デバイスに組み込んで帯域７０及び帯域７２に応じて２つのモードを生成することによって、実施できる。３つの重畳するフィルタから２重帯域通過フィルタ５８を製作する際、ショート・パス・フィルタは、帯域７２の最も長い波長（ＷＬ４）までの波長を通過させるように選択され、ロング・パス・フィルタは、帯域７０の最も短い波長（ＷＬ１）までの波長を通過させるように選択される。２つのフィルタは全体として、ＷＬ１とＷＬ４の間のすべての波長を通過させる非常に広い帯域通過フィルタを形成する。ノッチ・フィルタは、帯域７０の最も長い波長（ＷＬ２）と帯域７２の最も短い波長（ＷＬ３）の間の波長を遮断するように選択される。したがって、ノッチ・フィルタは、ＷＬ２までの波長を通過させ、ＷＬ２とＷＬ３の間の波長を遮断し、且つＷＬ３を超える波長を通過させる。スペクトル応答は、３つのフィルタの積であり、中心波長は、帯域７０に対して（ＷＬ１＋ＷＬ２）／２であり、帯域７２に対して（ＷＬ３＋ＷＬ４）／２である。さらに、帯域７０の帯域幅ＢＷ１は、ＷＬ２−ＷＬ１であり、帯域７２の帯域幅ＢＷ２は、ＷＬ４−ＷＬ３である。さらに、２重帯域通過フィルタは、２つのフィルタを使用して製作することもできる。例えば、１つの非常に広い帯域通過フィルタを利用して、ＷＬ１とＷＬ４の間の波長を通過させ、ノッチ・フィルタを使用して、ＷＬ２とＷＬ３の間の波長を遮断することもできる。
【００１３】
ＲＧＢカラー・カメラに対するスペクトル応答を図３に示す。赤に対するスペクトル応答を符号８０で示し、緑及び青に対するスペクトル応答を、それぞれ符号８２及び８４で示す。最善の光信号及び最も正確な色対温度計算を得るために、２重帯域通過フィルタの２つの帯域ＢＷ１及びＢＷ２は、カラー・カメラのスペクトル・ピークの任意の２つに密接に対応するべきである。ＲＧＢタイプのカラー・カメラの場合、ピーク・スペクトル応答の中心は、青に対して約４７０ナノメートル、緑に対して約５４０ナノメートル、及び赤に対して約６５０ナノメートルの位置にある。したがって、２重帯域通過フィルタの中心は、帯域７０に対して４７０ナノメートル及び帯域７２に対して５４０ナノメートル、又は帯域７０に対して４７０ナノメートル及び帯域７２に対して６５０ナノメートル、又は帯域７０に対して５４０ナノメートル及び帯域７２に対して６５０ナノメートルの位置にあるべきである。スペクトル応答を狭い帯域波長に制限することによって、以下の式１に示すプランクの法則を使用して、色検出器６０上の各画素の温度を求めることができる。
Ｗ（λ，Ｔ）＝ε＊Ｃ１／（λ５＊（ｅｘｐ（Ｃ２／λＴ）−１））          （１）
ここで、
Ｗ（λ、Ｔ）は対象物又は媒体のスペクトル放射発散度、
εは対象物又は媒体の放射率、
λは放射の波長、
Ｔは対象物又は媒体の温度、
Ｃ１、Ｃ２は定数
である。
【００１４】
２色高温測定では、放射率が等しい又は一定の比を有する２つの異なる波長が選択され、以下の２つの式が得られる。
Ｗ１（λ１，Ｔ）＝ε１＊Ｃ１／（λ１５＊（ｅｘｐ（Ｃ２／λ１Ｔ）−１））    （２）
Ｗ２（λ２，Ｔ）＝ε２＊Ｃ１／（λ２５＊（ｅｘｐ（Ｃ２／λ２Ｔ）−１））    （３）
ここで、Ｗ１及びＷ２は、選択された波長λ１及びλ２で測定されたスペクトル発散度であり、ε１及びε２は、それぞれ対応する波長の放射率である。
【００１５】
これらの式の温度以外のすべての項は周知か、又は等しいので、これらの式の連立解（代数的演算）により温度Ｔが得られる。
【００１６】
可視スペクトル（３８０〜７８０ナノメートル）などの比較的短い波長が使用される場合には、「−１」の項は両方の式で無視することができ、連立解がより簡単になり、単一の比率式が得られる。
Ｔ＝（Ｃ２＊（（１／λ２）−（１／λ１）））／ｌｎ（（１／λ１）／（１λ２）５＊（Ｗ１／Ｗ２））                                                            （４）
（Ｃ２＊（（１／λ２）−（１／λ１）））／ｌｎ（（１λ１）／（１λ２）５が、すべての温度であらゆる波長対に対して一定であることに留意すると、この比率式は、さらに簡単にすることができる。
Ｔ＝Ｋ＊（Ｗ１／Ｗ２））                                                （５）
２色ビデオ高温測定の場合、温度の空間分布は、カメラ画素ごとに温度Ｔを求めることによって確認することができる。
【００１７】
ＣｙＧｒＭｇＹｅ補色カラー・カメラに対するスペクトル応答を図４に示す。シアンに対するスペクトル応答を符号９０で示し、緑、マゼンタ、及び黄に対するスペクトル応答を、それぞれ符号９２、９４、及び９６で示す。補色カラー・カメラの場合、ピーク・スペクトル応答は、マゼンタに対して約４５０ナノメートル及び約６１０ナノメートル、シアンに対して約５１０ナノメートル、緑に対して約５４０ナノメートル、及び黄に対して約５５０ナノメートルである。これらのピーク波長の任意の２つを、２つの色温度計算に使用できる。しかし、最善の色対温度測定の精度を得るために、応答重複の大きいピーク波長対は、避けるべきである。例えば、緑及び黄を使用することは、スペクトル応答のピーク波長の重複が大きいので、難しい可能性がある。しかし、４５０ナノメートル及び５４０ナノメートル（Ｍｇ及びＧｒチャネル）、４５０ナノメートル及び５５０ナノメートル（Ｍｇ及びＹｅチャネル）、６１０ナノメートル及び５１０ナノメートル（Ｍｇ及びＣｙチャネル）、又は６１０ナノメートル及び５４０ナノメートル（Ｍｇ及びＧｒチャネル）という波長の対は、効果的に使用できる。２重帯域通過フィルタ５８とカラー・カメラ６２の内部カラー・フィルタとを組み合わせると、視野内の画素ごとに、ＲＳ−１７０Ａなどの標準カラー・ビデオ信号形式で、簡単な放射式Ｔ＝Ｋ＊（Ｗ１／Ｗ２）に対する２つの輝度Ｗ１及びＷ２を提供する２重波長マルチ画素高温計が得られる。上式で、Ｋは、２つの輝度間のシステム５０の感度を調整する定数に等しい。
【００１８】
ビデオ・プロセッサ６４は、輝度値Ｗ１及びＷ２を、標準カラー・ビデオ信号形式の別々の色として受け取り、簡単な放射式Ｔ＝Ｋ＊（Ｗ１／Ｗ２）を使用して画素ごとの温度を計算する。したがって、ビデオ・プロセッサ６４は、対象物５２の温度分布のリアル・タイム等温線図を、標準カラー・ビデオ信号としてビデオ表示装置６６へ提供する。さらに、ビデオ・プロセッサは、提供されたビデオ信号を利用して、受け取った色の一方又は両方に応じて視野のビデオを生成する。
【００１９】
さらに、３つ以上の波長を、上記と同様に使用することができ、結果を組み合わせて、温度測定を提供することができる。ＲＧＢ色検出器の場合、３つのチャネルすべてが使用され、３モード帯域通過フィルタが上記２重モード・フィルタの代わりに使用され得る。
【００２０】
当業者には容易に理解されるように、上記説明は、本発明の原理の実施を説明するものである。本説明は、本発明の範囲又は適用分野を限定するものではなく、本発明は、添付の特許請求の範囲に規定する本発明の原理から逸脱することなく、修正形態、変形形態、及び変更が可能である。
【図面の簡単な説明】
【００２１】
【図１】本発明によるビデオ高温測定システムの概略図。
【図２】本発明による２重モード帯域通過フィルタの透過特性を示すグラフ。
【図３】本発明によるＲＧＢカラー・カメラに対するピーク・スペクトル応答のグラフ。
【図４】本発明によるＣｙＧｒＭｇＹｅ４色カラー・カメラに対するピーク・スペクトル応答のグラフ。
【図１】
2009525488.tif 000003
【図２】
2009525488.tif 000004
【図３】
2009525488.tif 000005
【図４】
2009525488.tif 000006
【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
光放射を発する対象物の温度を測定する高温計システムにおいて、
複数の画像要素を含む色検出器を有するカラー・ビデオ・カメラであって、前記複数の画像要素が、光の第１の色スペクトルを検出するように構成された第１の組の画像要素、および光の第２の色スペクトルを検出するように構成された第２の組の画像要素を有し、前記第１及び第２の組の画像要素が、前記色検出器上に配置された、カラー・ビデオ・カメラと、
前記対象物からの前記光放射を前記色検出器上へ集束させる光学系であって、前記光学系が、前記色検出器への光路内に少なくとも１つのフィルタを含み、該フィルタが、前記光の第１の色スペクトルに重複する第１のスペクトル帯域及び前記光の第２の色スペクトルに重複する第２のスペクトル帯域を透過させるようになっており、前記第１のスペクトル帯域が前記光の第１の色スペクトルよりも狭く、前記第２のスペクトル帯域が前記光の第２の色スペクトルよりも狭く、前記対象物からの前記光放射が単一の光路に沿って進行する、光学系と、
前記第１及び第２の組の画像要素からの信号に基づいて前記対象物の温度を求めるように構成されたプロセッサと
を備える高温計システム。
【請求項２】
前記カラー・ビデオ・カメラが、ＲＧＢカラー・ビデオ・カメラである、請求項１に記載された高温計システム。
【請求項３】
前記フィルタが、前記第１及び第２のスペクトル帯域の外側の光を遮断するように構成され、前記第１のスペクトル帯域の中心が、約４７０ナノメートルの波長の位置にあり、前記第２のスペクトル帯域の中心が、約５４０ナノメートルの波長の位置にある、請求項２に記載された高温計システム。
【請求項４】
前記フィルタが、前記第１及び第２のスペクトル帯域の外側の光を遮断するように構成され、前記第１のスペクトル帯域の中心が、約４７０ナノメートルの波長の位置にあり、前記第２のスペクトル帯域の中心が、約６５０ナノメートルの波長の位置にある、請求項２に記載された高温計システム。
【請求項５】
前記フィルタが、前記第１及び第２のスペクトル帯域の外側の光を遮断するように構成され、前記第１のスペクトル帯域の中心が、約５４０ナノメートルの波長の位置にあり、前記第２のスペクトル帯域の中心が、約６５０ナノメートルの波長の位置にある、請求項２に記載された高温計システム。
【請求項６】
前記カラー・ビデオ・カメラが、ＣｙＧｒＭｇＹｅカラー・ビデオ・カメラである、請求項１に記載された高温計システム。
【請求項７】
前記フィルタが、前記第１及び第２のスペクトル帯域の外側の光を遮断するように構成され、前記第１のスペクトル帯域の中心が、約４５０ナノメートルの波長の位置にあり、前記第２のスペクトル帯域の中心が、約５５０ナノメートルの波長の位置にある、請求項６に記載された高温計システム。
【請求項８】
前記フィルタが、前記第１及び第２のスペクトル帯域の外側の光を遮断するように構成され、前記第１のスペクトル帯域の中心が、約４５０ナノメートルの波長の位置にあり、前記第２のスペクトル帯域の中心が、約５４０ナノメートルの波長の位置にある、請求項６に記載された高温計システム。
【請求項９】
前記フィルタが、前記第１及び第２のスペクトル帯域の外側の光を遮断するように構成され、前記第１のスペクトル帯域の中心が、約４５０ナノメートルの波長の位置にあり、前記第２のスペクトル帯域の中心が、約６１０ナノメートルの波長の位置にある、請求項６に記載された高温計システム。
【請求項１０】
前記フィルタが、前記第１及び第２のスペクトル帯域の外側の光を遮断するように構成され、前記第１のスペクトル帯域の中心が、約５１０ナノメートルの波長の位置にあり、前記第２のスペクトル帯域の中心が、約６１０ナノメートルの波長の位置にある、請求項６に記載された高温計システム。
【請求項１１】
前記フィルタが、前記第１及び第２のスペクトル帯域の外側の光を遮断するように構成され、前記第１のスペクトル帯域の中心が、約５４０ナノメートルの波長の位置にあり、前記第２のスペクトル帯域の中心が、約６１０ナノメートルの波長の位置にある、請求項６に記載された高温計システム。
【請求項１２】
前記プロセッサが、式Ｔ＝Ｋ＊（Ｗ１／Ｗ２））に基づいて前記温度を計算するように構成され、Ｔが、前記対象物の温度であり、Ｗ１が、前記第１の組の画像要素での測定されたスペクトル発散度であり、Ｗ２が、前記第２の組の画像要素での測定されたスペクトル発散度である、請求項１から請求項１１までのいずれか１項に記載された高温計システム。
【国際調査報告】
2009525488.tif 000007
2009525488.tif 000008
2009525488.tif 000009